(57)【特許請求の範囲】
【請求項１】
原稿を載置する原稿台を有する読取部と、原稿送り装置を有し、上記原稿送り装置で原稿を搬送しながら原稿の読み取りを行うことが可能で、上記原稿送り装置は、原稿を上記原稿台に押圧する圧板と、この圧板の原稿押圧面側に重ね合わせ状態に設けられる白板を有する画像読取装置において、
上記白板が上記圧板に着脱自在に設けられ、上記原稿台に上記白板を置いた状態で上記圧板を押下することにより該圧板に対する上記白板の取付がなされ、上記白板の原稿押圧面と反対側に弾性材が設けられ、この弾性材の色は、上記読取部の原稿照明の発光色に対して補色となっていることを特徴とする画像読取装置。
【請求項２】
原稿を載置する原稿台を有する読取部と、原稿送り装置を有し、上記原稿送り装置で原稿を搬送しながら原稿の読み取りを行うことが可能で、上記原稿送り装置は、原稿を上記原稿台に押圧する圧板と、この圧板の原稿押圧面側に重ね合わせ状態に設けられる白板を有する画像読取装置において、
上記白板が上記圧板に着脱自在に設けられ、上記原稿台に上記白板を置いた状態で上記圧板を押下することにより該圧板に対する上記白板の取付がなされ、上記白板の原稿押圧面と反対側に補強板が設けられ、この補強板の色は、上記読取部の原稿照明の発光色に対して補色となっていることを特徴とする画像読取装置。
【発明の詳細な説明】
【０００１】
【発明の属する技術分野】
本発明は、複写機、ファクシミリ、スキャナ等の画像読取装置に関し、詳しくは、原稿を連続的に搬送・排出するシートスルータイプの自動原稿送り装置（以下、単にＤＦという。）を備えた画像読取装置に関する。
【０００２】
【従来の技術】
この種の画像読取装置では、原稿を載置固定して読み取るための原稿台としてのコンタクトガラスとは別に、シートスルー用原稿台としてのシートスルー用コンタクトガラスが設けられており、ＤＦ使用時には、コンタクトガラス上に載置された原稿を副走査方向に走行して走査する走査手段をシートスルー用コンタクトガラスの読み取り位置に固定し、シートスルー用コンタクトガラス上で原稿を搬送しながら読み取ることが行われている。
装置の小型化を図るために、ＤＦの搬送経路は原稿を反転させる構成となっており、読み取られた原稿はＤＦ内の搬送ローラで搬送され排紙トレイ上に排出されるようになっている。
【０００３】
また、シートスルー用コンタクトガラスの読み取り位置の下流に密着イメージセンサを設け、原稿の裏面を同時に読み取る両面走査型のものもある。密着イメージセンサを使用した場合、裏写りを防止するために、例えば特開平９−７４４６５号公報、特開平１０−１３６１７７号公報、特開平７−８７２６０号公報に示すように、搬送路を挟んで密着イメージセンサと対向する位置に白色ガイド部材（白色ローラ又は白色ガイド板）を設ける必要がある。
【０００４】
コピー原稿、のり付け原稿、鉛筆書き原稿等様々な原稿を読み取るうちに、白色ガイド部材や搬送ローラ等の搬送系部材は汚れてくる。
例えば白色ローラが汚れてくると、上記特開平９−７４４６５号公報で指摘されているように、読み取り画像に悪影響を及ぼす。特開平９−７４４６５号公報に記載されているようにシェーディングを行ったとしても白色ローラが汚れていれば、薄紙等では白色ローラの汚れが裏写りする。搬送ローラも汚れてくると原稿の汚損を来す。
従って、白色ローラ等の搬送系部材は清掃を必要とするが、自動的にワイパー等にて清掃する装置を配置すると多大なコストアップにつながるため、従来からユーザーに清掃させる構成が採られている。
ユーザーが清掃し易いように、従来では搬送路を境にして原稿送り装置を上下に分割する構成となっている。
【０００５】
【発明が解決しようとする課題】
しかしながら、原稿送り装置の構成を搬送路を境にして上下に分割する方式では、分割に係る位置合わせ精度を要求されるとともに強固な締結手段が必要であるため、製造コストが高くなり、また、締結手段の解除、取付操作が面倒であるという問題があった。
【０００６】
本出願人は、この問題を解消すべく、特願平１１−１２０３号にて、原稿送り装置を分割構成とすることなく搬送路の清掃が容易にできる画像読取装置を提案した。
これは、原稿送り装置の圧板に外部から白色ローラ等にアプローチできる開口部を形成し、この開口部を覆う白板を圧板に対して着脱自在に設ける構成となっている。かかる構成によれば、圧板から白板を外し、開口部から手を入れて白色ローラ等を容易に清掃することができ、白色ローラ等の清掃の容易化を簡単な構成で実現することができる。
【０００７】
しかしながら、白板を着脱する構成とした場合、取付に際しての圧板に対する白板の位置決め操作が必要となり、これが面倒であれば白板の着脱構成における上記利点が阻害されることになる。
【０００８】
そこで、本発明は、圧板に対する白板の着脱構成における白板の所定位置への取付が容易に行える画像読取装置の提供を、その主な目的とする。
【０００９】
【課題を解決するための手段】
上記目的を達成するために、請求項１記載の発明では、原稿を載置する原稿台を有する読取部と、原稿送り装置を有し、上記原稿送り装置で原稿を搬送しながら原稿の読み取りを行うことが可能で、上記原稿送り装置は、原稿を上記原稿台に押圧する圧板と、この圧板の原稿押圧面側に重ね合わせ状態に設けられる白板を有する画像読取装置において、上記白板が上記圧板に着脱自在に設けられ、上記原稿台に上記白板を置いた状態で上記圧板を押下することにより該圧板に対する上記白板の取付がなされ、上記白板の原稿押圧面と反対側に弾性材が設けられ、この弾性材の色は、上記読取部の原稿照明の発光色に対して補色となっている、という構成を採っている。
【００１０】
請求項２記載の発明では、原稿を載置する原稿台を有する読取部と、原稿送り装置を有し、上記原稿送り装置で原稿を搬送しながら原稿の読み取りを行うことが可能で、上記原稿送り装置は、原稿を上記原稿台に押圧する圧板と、この圧板の原稿押圧面側に重ね合わせ状態に設けられる白板を有する画像読取装置において、上記白板が上記圧板に着脱自在に設けられ、上記原稿台に上記白板を置いた状態で上記圧板を押下することにより該圧板に対する上記白板の取付がなされ、上記白板の原稿押圧面と反対側に補強板が設けられ、この補強板の色は、上記読取部の原稿照明の発光色に対して補色となっている、という構成を採っている。
【００１５】
【実施例】
以下、本発明の実施例を図に基づいて説明する。
図１に示すように、本実施例における画像読取装置としての両面走査型スキャナ２は、スキャナ本体としての読取部４と、この読取部４に対して支点６と支点ブラケット８等からなるヒンジ部を介して上下方向に回動自在に設けられたＤＦ（自動ドキュメントフィーダ）１０を有している。支点６にはバネ１１が設定されており、ＤＦ１０の開動作に付勢力を与えるようになっている。
読取部４には、照明ランプ１２と第１ミラー１４等を装備した第１キャリッジ１６と、第２ミラー１８及び第３ミラー２０等を装備した第２キャリッジ２２が副走査方向に往復移動可能に設けられており、これらを主として走査手段が構成されている。
【００１６】
読取部４の上面には原稿を固定して読み取るための原稿台としてのコンタクトガラス２４が設けられている。このコンタクトガラス２２に原稿を載置固定して読み取る場合には、第１キャリッジ１６が一定の速度で往動し、且つ、第２キャリッジ２２が第１キャリッジ１６の１／２の速度で第１キャリッジ１６に追従して往動することによりコンタクトガラス２４上の原稿が光学的に走査される。
原稿は照明ランプ１２により照明されてその反射光像が第１ミラー１４、第２ミラー１８、第３ミラー２０を介してレンズ２６によりＣＣＤセンサ２８上に結像される。
【００１７】
ＣＣＤセンサ２８は、結像された原稿の反射光像を光電変換してアナログ画像信号を出力し、アナログ信号はアナログ／デジタル変換器によりデジタル画像信号に変換され、画像処理板３０にて種々の画像処理（２値化、階調処理、変倍、編集）が施され、原稿の読み取りが行われる。
画像の読み取り終了後、第１キャリッジ１６と第２キャリッジ２２はホームポジションに復動する。図１で示す位置が、第１キャリッジ１６と第２キャリッジ２２のホームポジションである。
【００１８】
次に、ＤＦ１０の構成及びＤＦ１０を使用した場合の読取動作を説明する。
原稿トレイ３２に積載された原稿５４は、ピックアップローラ３４により分離部へ送られ、分離部においてフィードローラ３６と分離ローラ３８により１枚ずつ分離されて搬送される。その後、原稿５４は、フィードローラとしての搬送ドラム４０とこの搬送ドラム４０の周囲に配置されて搬送ドラム４０に押圧された複数の従動コロ４２により搬送される。
【００１９】
搬送された原稿５４は、シートスルー用コンタクトガラス５５（図５）が設けられた読み取り位置（上記ホームポジション位置）Ｙに達すると、所定のタイミングで照明ランプ１２により下面側（表面側）が照射され、その反射光が第１ミラー１４、第２ミラー１８、第３ミラー２０により上記動作と同様にＣＣＤセンサ２８に結像されて光電変換される。ＣＣＤセンサ２８によるアナログ信号出力以降は上記動作と同様である。原稿５４は搬送ドラム４０及び従動コロ４２によって図１の右側へ搬送され、ＣＣＤセンサ２８に入光する反射光は原稿５４の副走査方向に走査される。
【００２０】
読み取り位置Ｙの下流側には、原稿５４の裏面を読み取るための密着イメージセンサ４４と、この密着イメージセンサ４４に対向して設けられた白色ガイド部材としての白色ローラ４６と、搬送ローラ対４８、５０等が設けられている。搬送ローラ対４８、５０間には印付けをするエンドーサ５２が設けられている。
読み取り位置Ｙで表面の画像情報を読み取られ、密着イメージセンサ４４で裏面の画像情報を読み取られた原稿５４は、搬送ローラ対４８、５０で搬送されて排紙トレイ５６上に排出される。排紙トレイ５６には、排出される原稿の排出方向の移動を制限するストッパ５８が設けられている。
【００２１】
図２に示すように、排紙トレイ５６は、コンタクトガラス２４に載置された原稿を押圧する圧板（開閉蓋）６０の上面に一体に形成されている。圧板６０の、原稿搬送路の一部分に対応する部分には開口部６２が形成されており、開口部６２は、白色ローラ４６と搬送ローラ対４８、５０が外部に臨む大きさに形成されている。圧板６０の原稿を押さえる面には、白板（反射率の高い面状の白色部材）６４が着脱自在に設けられている。
白板６４の図面上における右端部には緩衝材６６を介して面状ファスナー６８が設けられており、これに対応して圧板６０には面状ファスナー７０が設けられている。一方、白板６４の左端部には緩衝材７２を介して面状ファスナー７４が設けられており、これに対応して圧板６０には面状ファスナー７６が設けられている。かかる構成によって圧板６０に対する白板６４の工具を用いないワンタッチレベルの着脱が可能となっている。図２では、読取部４の内部構成は省略している。
【００２２】
図３に示すように、白板６４は、原稿に直接接触する原稿押圧面としての白色シート７８と、この白色シート７８の反対側（背面側）に設けられた白色の弾性材（クッション材）８０と、補強板８２からなる３層構造となっており、補強板８２上に緩衝材６６、７２が固定されている。
図４に示すように、緩衝材６６及び面状ファスナー６８、緩衝材７２及び７４は白板６４の４隅の着脱を図るべく、原稿の主走査方向に間隔をおいてそれぞれ２つ設けられており、これに対応して圧板６０の面状ファスナー７０、７６も設けられている。本実施例では、右側の緩衝材６６及び面状ファスナー６８は略正方形状に、左側の緩衝材７２及び面状ファスナー７４は細長形状に形成されている。
【００２３】
白色ローラ４６、搬送ローラ対４８、５０を清掃する場合には、図５に示すように原稿送り装置１０を上方に回動して圧板６０を開放した状態とし、白板６４を外す。白板６４を外すと、点線で示す開口部６２が露出するため、オペレータはこの開口部６２から手を挿入して白色ローラ４６等を容易に清掃することができる。
従来の搬送路を境にして上下に分割した構成では、工具を用いて止めネジ等を外して搬送路の下半部を取り外す必要があり、且つ、取り外した重量感のある下半部を別な場所に移動させ、止めネジ等の着脱用部品の管理もしなければならない。
これに対し、本実施例の場合には軽量物である白板６４のみを取り外すことになるので、白板６４をコンタクトガラス２４上に置いてもこれを傷付ける心配がなく、作業が容易となる。また、片手で外すことができる上に着脱用の部品（面状ファスナー）が取り外した白板６４と一体となっているのでこれを管理する必要もない。
【００２４】
本実施例における画像読取装置は両面走査型のスキャナであるため、白色ローラ４６が存在するが、片面走査型の場合には搬送ローラ対４８、５０のみが開口部６２の位置に存在し、基本的にこれが清掃、メンテナンスの対象となる。
また、上記開口部６２を設ける構成によれば、両面走査型、片面走査型の違いに拘らず、清掃やメンテナンスだけでなく、原稿の搬送ジャムも容易に処理することができる。すなわち、開口部６２はジャム処理空間としての潜在的機能をも有している。
【００２５】
次に、図６に基づいて、本発明の特徴の一つである圧板６０に対する白板６４の位置決め構成を説明する。
コンタクトガラス２４の周囲は外装カバー１００で囲まれており、外装カバー１００の一部は原稿をサイズ別に位置決めするためのスケール１０２，１０４となっている。外装カバー１００の一隅には、コンタクトガラス２４の基準位置としての矢印１０６が形成されており、これに対応して白板６４の補強板８２上の一隅には基準位置としての矢印１０８が形成されている。
白板６４を、その矢印１０８が外装カバー１００の矢印１０６に合うようにコンタクトガラス２４上に載置すると、白板６４の面状ファスナー６８と圧板６０の面状ファスナー７０及び白板６４の面状ファスナー７４と圧板６０の面状ファスナー７６が対応するように寸法設定されており、かかる状態で図７に示すように、ＤＦ１０を手で下方に回動して圧板６０を押下すると、白板６４の面状ファスナー６８と圧板６０の面状ファスナー７０及び白板６４の面状ファスナー７４と圧板６０の面状ファスナー７６が合致し、白板６４は圧板６０に取り付けられる。
【００２６】
このように、コンタクトガラス２４上に白板６４をその裏面（面状ファスナー６８等が存在する面）を表にして位置決めし、その後は圧板６０を押下するだけで白板６４を圧板６０の所定位置に取り付けることができるので、圧板６０に対する白板６４の取付作業が極めて容易となる。なお、図７においては白板６４の面状ファスナー６８等は省略している。
白板６４の面積に対してコンタクトガラス２４の面積が大きい場合には、上述の位置決め構成とすることにより、簡単な構成で圧板６０に対する白板６４の取付時の位置決めを容易にすることができる。
【００２７】
次に、図８に基づいて他の実施例を説明する。なお、上記実施例と同一部分は同一符号で示し、特に必要が無い限り重複説明は省略する（以下のその他の実施例において同じ。）。
図８に示すように、外装カバー１００の内方寸法Ａとこれに対応する白板６４の寸法ａ、及び外装カバー１００の内方寸法Ｂとこれに対応する白板６４の寸法ｂを同じにして、外装カバー１００の内方形状と白板６４の周縁形状が一致する形状としてもよい。
このようにすれば、コンタクトガラス２４に白板６４を載せるだけで、圧板６０に対する白板６４の位置決めがなされ、その後は上記例と同様に圧板６０を押下するだけで白板６４の面状ファスナー６８と圧板６０の面状ファスナー７０及び白板６４の面状ファスナー７４と圧板６０の面状ファスナー７６が合致し、白板６４は圧板６０の所定位置に取り付けられる。この例では基準位置に合わせる必要がないので、オペレータの注意力を少なくすることができ、圧板６０に対する白板６４の取付作業の容易化を一層高めることができる。
【００２８】
次に、図９及び図１０に基づいて他の実施例を説明する。
コンタクトガラス２４に白板６４が密着する構成では、圧板６０で原稿を押圧した場合、白板６４の面積に対応する領域の空気が押圧時にほぼ押し出されるため、圧板６０の開放時には負圧状態となって白板６４に原稿が密着してコンタクトガラス２４から浮き上がる現象が生じる。この場合、原稿が無造作に落下したり、白板６４に密着したままとなってその処理が面倒であった。また、オペレータが原稿のセットをし直す操作をする場合に非常に面倒であった。
【００２９】
本実施例はこの問題を解消することをさらなる目的としている。図９に示すように、本実施例における白板６４は、その一辺６４ａが凸部としての外装カバー１００に乗り上げるように、寸法ｂが設定されている。
原稿をコンタクトガラス２４上に載置して圧板６０を押下した場合、図１０に示すように白板６４の一辺６４ａ側ではコンタクトガラス２４との間に隙間１１０が生じる。このため、白板６４と原稿との間が負圧状態とならず、圧板６０を開放しても原稿の浮き上がりは生じない。
【００３０】
ところで、この種の原稿送り装置では、原稿読取時において照明ランプ１２から発せられる高強度の原稿照明光が白板６４を透過し、図１１に示す原稿送り装置１０の原稿排出口（読み取り終了後の原稿排出用空間）１１２から外に漏れてオペレータの目に触れ、不快感を与える懸念がある。透過光を抑えるためには白板６４の厚みを大きくすればよいが、コストアップを来すとともに構成の大型化を招くことになる。
上述のように圧板６０に開口部６２を形成し、この開口部６２を白板６４で覆う構成とした場合には原稿照明光の透過率は一層高くなる。
この問題を解消するためには、上記各実施例において、白板６４の弾性材８０の色を、読取部４の原稿照明の発光色に対して補色となるようにすればよい。例えば本実施例における照明ランプ１２にはキセノンランプが使用されており、発光色は緑であるため、弾性材８０の色はピンク系の色とする。
白板６４の補強板８２の色を、読取部４の原稿照明の発光色に対して補色となるようにしても同様の効果を得ることができる。この場合にも例えば本実施例における照明ランプ１２にはキセノンランプが使用されており、発光色は緑であるため、補強板８２の色はピンク系の色とする。
【００３１】
次に、図１２に基づいて圧板６０に対する白板６４の着脱構成の変形例を説明する。
本実施例では、白板６４側の面状ファスナー６８，７４に代えてマグネットシート８４，８６を設け、圧板６０側には強磁性体８８，９０を設けている。マグネットシート８４，８６と、強磁性体８８，９０の位置関係はもちろん逆でもよい。また、圧板６０の着脱面が鉄等の強磁性体で形成される場合には強磁性体８８，９０を別途設ける必要はない。
本実施例においても面状ファスナー同士による着脱と同様に、工具を用いないワンタッチレベルの着脱が可能となり、着脱操作が容易となる。
【００３２】
次に、図１３に基づいて圧板６０に対する白板６４の着脱構成の他の変形例を説明する。
本実施例では、圧板６０側に入口が狭く形成された凹部９２が形成されており、白板６４側にはこれに対応する位置をもって凹部９２の入口より幅の大きい分割構成の凸部９４が形成されている。凹部９２に凸部９４を強制的に押し込むと、凸部９４の内方への弾性変形により凸部９４は凹部９２に入り込み、いわゆるスナップ係合がなされる。凹部９２と凸部９４の位置関係はもちろん逆でもよい。また、凹部９２側を弾性変形させるようにしてもよい。
本実施例においても面状ファスナー同士による着脱と同様に、工具を用いないワンタッチレベルの着脱が可能となり、着脱操作が容易となる。
【００３３】
【発明の効果】
請求項１記載の発明によれば、白板を原稿台の所定位置において圧板を押下するだけで圧板に対する白板の取付を完了することができ、取付作業を容易にすることができる。圧板に対する白板の取付が容易であるので、白板を着脱可能とした清掃容易化構成の利点を十分に活かすことができる。
また、白板の弾性材の色を、原稿照明の発光色に対して補色とする構成としたので、白板の厚みを大きくすることなく機外に漏れる原稿照明光の光量を抑制でき、オペレータの不快感を低減することができる。
【００３４】
請求項２記載の発明によれば、白板を原稿台の所定位置において圧板を押下するだけで圧板に対する白板の取付を完了することができ、取付作業を容易にすることができる。圧板に対する白板の取付が容易であるので、白板を着脱可能とした清掃容易化構成の利点を十分に活かすことができる。
また、白板の補強板の色を、原稿照明の発光色に対して補色とする構成としたので、白板の厚みを大きくすることなく機外に漏れる原稿照明光の光量を抑制でき、オペレータの不快感を低減することができる。
【図面の簡単な説明】
【図１】本発明の一実施例に係る画像読取装置の概要正面図である。
【図２】原稿送り装置を上方に回動し、且つ、白板を圧板から取り外した状態の概要正面図である。
【図３】白板の拡大正面図である。
【図４】白板の原稿接触面と反対側の面を斜め上方から見た斜視図である。
【図５】原稿送り装置を上方に回動した状態の斜視図である。
【図６】原稿台に対する白板の位置合わせを示す要部斜視図である。
【図７】原稿送り装置を下方に回動して圧板を押下した状態の斜視図である。
【図８】原稿台と白板の寸法が同一である例の要部斜視図である。
【図９】白板の一辺が原稿台周辺の凸部に乗り上げる例の要部斜視図である。
【図１０】図９で示した例における白板と原稿台との間の隙間を示す要部断面図である。
【図１１】圧板を押下した状態の全体斜視図である。
【図１２】圧板に対する白板の着脱構成の変形例を示す要部正面図である。
【図１３】圧板に対する白板の着脱構成の他の変形例を示す要部斜視図である。
【符号の説明】
４  読取部
１０  原稿送り装置
２４  原稿台としてのコンタクトガラス
５４  原稿
６０  圧板
６４  白板
８０  弾性材
８２  補強板
１００  外装カバー
【図１】
0003677726.tif 000002
【図２】
0003677726.tif 000003
【図３】
0003677726.tif 000004
【図４】
0003677726.tif 000005
【図５】
0003677726.tif 000006
【図６】
0003677726.tif 000007
【図７】
0003677726.tif 000008
【図８】
0003677726.tif 000009
【図９】
0003677726.tif 000010
【図１０】
0003677726.tif 000011
【図１１】
0003677726.tif 000012
【図１２】
0003677726.tif 000013
【図１３】
0003677726.tif 000014